(57)【要約】【課題】  歩行者が支え歩き，伝い歩きをするビーム手摺を，盲人や弱視者が始端位置と終端位置を認知し得るようにしてその歩行時の危険を回避し得るようにする。【解決手段】  支柱１に固定した上下の持出アーム２によってビーム３をそれぞれ支持してビーム３を上下２段に配置した２段ビーム手摺Ａを形成し，その長手方向両端位置で該２段のビーム３を，手摺前後方向にＵ字状をなす端部連結部材４によって連結するとともにこの端部連結部材４の各先端に歩行者が接触認知できるように一体成形した凹凸によるビーム終端の告知サイン４２を配置する。端部連結部材４はビーム３間に上下に配置されるから，歩行者は，これに接触してビーム手摺Ａの始端を認知でき，また告知サイン４２によって終端を認知できる。【選択図】  図１
2008045356.tif 000002
【特許請求の範囲】
【請求項１】
上下２段のビームを支柱に固定した２段ビーム手摺であって，該手摺の長手方向両端に位置する上下２段のビームに該ビーム端部を上下垂直乃至傾斜方向に連結する端部連結部材を配置するとともに該端部連結部材のビーム側の先端乃至その近傍にビーム終端の告知サインを配置してなることを特徴とする２段ビーム手摺。
【請求項２】
上記ビーム終端の告知サインを，上記端部連結部材の表面に該連結部材と一体に形成した接触認知用の凹凸によるものとしてなることを特徴とする請求項１に記載の２段ビーム手摺。
【請求項３】
上記端部連結部材による上下２段のビームの連結を，該端部連結部材の各ビーム側に突出した上下の固定片を上下２段のビームの下面に対して又は上下中間配置の連結壁に対してネジ固定して行ってなることを特徴とする請求項１又は２に記載の２段ビーム手摺。
【請求項４】
上記端部連結部材を，アルミ，スチール等の金属鋳造によって形成した金属製の鋳造部材によって形成してなることを特徴とする請求項１，２又は３に記載の２段ビーム手摺。
【発明の詳細な説明】
【技術分野】
【０００１】
本発明は，公園の歩行路，公共施設の屋内外の階段や屋内廊下等に設置使用する２段ビーム手摺に関する。
【背景技術】
【０００２】
この種ビーム手摺として，本発明者は，ブラケットを介して上下２段のビームを支柱に固定した２段ビーム手摺を提案済みであり，これによれば，例えば，上記上下２段のビームを，断面略卵型の握り形状をなすとともに先太側先端を歩行者に向けて３０〜４０°の角度に上向き傾斜した状態として，上位のビームを支柱上方に位置するようにし，また下位のビームを支柱側方に突出して位置するようにしたものとされており，該上下２段のビームを上記断面略卵型の握り形状とすることによって，歩行者の支え歩きに際して，その身体の荷重を支え，握り手の奥行方向への回動可能性を確実に防止するとともに歩行者の手に掛る荷重負担を軽減し得るようにし，また歩行者の伝い歩きに際して身体の揺動による握り手の回動可能性を防止して，躓き等に対しても身体を支持するようにして，支え歩き及び伝い歩きの歩行者の安定した手握りと安定した歩行を可能としたものとされる。
【０００３】
【特許文献１】特願２００６−０８５１１７
【発明の開示】
【発明が解決しようとする課題】
【０００４】
この場合，ビームを上下２段としたことによって高齢者，身体障害者等の歩行の安定性を有効に確保したものとすることができるが，上下２段のビームを備えることによって手摺の終端位置にあっては，各ビームの端部がそれぞれ上下２段をなして配置されることになり，該端部処理によるデザインの改良が求められるとともに，例えば盲人や弱視者にとっては，ビームを手握りしようとしても，ビームの端部が上下２段とされることによって，ビームの始端位置の把握が必ずしも容易になし得るとは限らず，この点の改良が求められ，またビームの終端位置では，突然にビームがなくなるために，前のめりになったり，場合によっては転倒したりする危険が残っており，併せてこの点の改良が求められる。
【０００５】
本発明はかかる事情に鑑みてなされたもので，その解決課題とするところは，上下２段のビームを備えたビーム手摺において，そのデザインを良好とするとともに，特に盲人や弱視者に始端位置と終端位置を告知することによって，盲人や弱視者の使い勝手を良好とするとともに可及的に危険を回避し得るようにしたビーム手摺を提供するにある。
【課題を解決するための手段】
【０００６】
上記課題に添って本発明は，上下２段のビームの長手方向端部を端部連結部材で連結することによりビーム端部の端部処理を行って該端部のデザインを良好とするとともに，例えば盲人や弱視者が，ビームの端部に上下２段のビームと交差するように位置する端部連結部材に触れることによって，上下２段の何れかのビームを簡易に手握りし得るようにするとともに，該端部連結部材にビーム終端の告知サインを配置することによって，ビームの終端を容易に認知し得るようにして，手摺長手方向両端のビーム終端位置における前のめりや転倒の危険性を解消するようにしたものであって，即ち請求項１に記載の発明を，上下２段のビームを支柱に固定した２段ビーム手摺であって，該手摺の長手方向両端に位置する上下２段のビームに該ビーム端部を上下垂直乃至傾斜方向に連結する端部連結部材を配置するとともに該端部連結部材のビーム側の先端乃至その近傍にビーム終端の告知サインを配置してなることを特徴とする２段ビーム手摺としたものである。
【０００７】
請求項２に記載の発明は，上記に加えて，ビームの手握り状態で上記ビーム終端の告知サインを容易且つ確実に違和感を受けることなく認知し得るものとするように，これを，上記ビーム終端の告知サインを，上記端部連結部材の表面に該連結部材と一体に形成した接触認知用の凹凸によるものとしてなることを特徴とする請求項１に記載の２段ビーム手摺としたものである。
【０００８】
請求項３に記載の発明は，同じく上記に加えて，上記端部連結部材による上下２段のビームの連結を確実且つ外観よく行うものとするように，これを，上記端部連結部材による上下２段のビームの連結を，該端部連結部材の各ビーム側に突出した上下の固定片を上下２段のビームの下面に対して又は上下中間配置の連結壁に対してネジ固定して行ってなることを特徴とする請求項１又は２に記載の２段ビーム手摺としたものである。
【０００９】
請求項４に記載の発明は，同じく上記に加えて，上記端部連結部材を，それ自体強度に優れたものとするとともにその上記ビーム終端の告知サインを一体に成形したときにはその剥落や欠落といった耐久性を損なう可能性を解消して，長期に亘る耐久性を確保し得るものとするように，これを，上記端部連結部材を，アルミ，スチール等の金属鋳造によって形成した金属製の鋳造部材によって形成してなることを特徴とする請求項１，２又は３に記載の２段ビーム手摺としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，上下２段のビームの長手方向端部を端部連結部材で連結することによりビーム端部の端部処理を行って該端部のデザインを良好とするとともに，例えば盲人や弱視者が，ビームの端部に上下２段のビームと交差するように位置する端部連結部材に触れることによって，上下２段の何れかのビームを簡易に手握りし得るようにするとともに，該端部連結部材にビーム終端の告知サインを配置することによって，ビームの終端を容易に認知し得るようにして，手摺長手方向両端のビーム終端位置における前のめりや転倒の危険性を解消し，盲人や弱視者の使い勝手を良好とするとともに可及的に危険を回避し得るようにした２段ビーム手摺を提供することができる。
【００１２】
請求項２に記載の発明は，上記に加えて，ビームの手握り状態で上記ビーム終端の告知サインを容易且つ確実に違和感を受けることなく認知し得るものとすることができる。
【００１３】
請求項３に記載の発明は，同じく上記に加えて，上記端部連結部材による上下２段のビームの連結を確実且つ外観よく行うものとすることができる。
【００１４】
請求項４に記載の発明は，同じく上記に加えて，上記端部連結部材を，それ自体強度に優れたものとするとともにその上記ビーム終端の告知サインを一体に成形したときにはその剥落や欠落といった耐久性を損なう可能性を解消して，長期に亘る耐久性を確保し得るものとすることができる。
【発明を実施するための最良の形態】
【００１５】
以下図面の例に従って本発明を更に具体的に説明すれば，図１，図２は，例えば数ｍ乃至数１０ｍの中間部分の図示を省略して示した部分破断正面図，平面図，図３は端部の側面図，図４はビームの縦断面図を示し，その図中Ａは２段ビーム手摺であり，該２段ビーム手摺Ａは，上下２段のビーム３を支柱１に固定したものとしてあり，該手摺Ａの長手方向両端に位置する上下２段のビーム３に該ビーム３端部を上下垂直乃至傾斜方向に連結する端部連結部材４を配置するとともに該端部連結部材４のビーム３側の先端乃至その近傍にビーム３終端の告知サイン４２を配置したものとしてある。
【００１６】
本例にあって該２段ビーム手摺Ａは，例えば公園の歩行路や階段に沿って配置することによって，歩行路を歩行し，階段を昇降するについて歩行者や車椅子歩行者，特に歩行者の支え歩き，伝い歩きをサポートし得るようにしてあり，本例の該２段ビーム手摺Ａは，地表に起立配置した，例えばアルミ押出材製の支柱１と，該支柱１に固定してその側面の歩行路乃至階段側の正面に突出するように配置したアルミ鋳物製の持出アーム２と，該持出アーム２の先端に配置したブラケット２１に固定支持することによって上記支柱１から上記ブラケット２１の突出幅分離れて歩行路乃至階段側の正面に平行に持出配置し，本例にあって表面に滑り止め層を備えたアルミ押出材製の上下２段のビーム３と，長手方向両端で該上下２段のビーム３端部を連結したアルミ，スチール等の金属鋳造によって形成した金属製の鋳造部材，本例にあってアルミ鋳物製の端部連結部材４とを備えたものとしてある。
【００１７】
このとき上記持出アーム２は，その支柱１固定状態で歩行路乃至階段側の正面への持出幅（突出幅）を，上位で小，下位で大の上下異幅とすることによって，上記上下２段のビーム３の支柱１からの突出位置を数ｃｍ，例えば２〜５ｃｍ程度その位置を歩行路乃至階段側に変位するようにして，上下一方のビーム３使用時に他方のビーム３が歩行の邪魔にならないようにしてある。
【００１８】
また本例のビーム３は，その断面形状を楕円形，特に略卵型とするとともにその先太側の先端を歩行者に向けて，例えば３０〜４０°，本例にあっては３３°の角度に上向き傾斜するようにその支柱への固定を行ってあり，これによって断面略卵型の幅広曲面をビーム３の上面に露出するとともにその上向き傾斜をビーム３に対する歩行者の手の角度に無理なく馴染んで歩行者が握り易い角度としてあり，またこのとき該ビーム３は，その断面長軸を４〜６ｃｍ，断面短軸を３〜５ｃｍ，本例にあって断面長軸を４．５ｃｍ程度，断面短軸を４ｃｍとして人の標準的な手握り寸法に合わせて，歩行者に違和感のない好ましい手の馴染みを得られるようにしてあり，これによって歩行者がビーム３を握って，握り手で身体の荷重をビーム３に掛け乍ら歩行する支え歩きを行うに際して，該ビーム３の上向き傾斜した幅広曲面が身体の荷重を支え，握り手の奥行方向への回転可能性を確実に防止するとともに該歩行者の手に掛る荷重負担を軽減する一方，歩行者が同じくビーム３を握って，握り手でビーム３の案内によって歩行する伝い歩きに際して同様に身体の揺動による握り手の回動可能性を防止して，例えば躓き等に対しても身体を支持するようにして，これら支え歩き，伝い歩きの歩行者の安定した手握りと安定した歩行を可能としてある。
【００１９】
本例にあって支柱１は，これを中空のバー材として，上端にその中空部を塞ぐキャップ１１を嵌着したものとしてあり，持出アーム２は，上下２段のビーム３をそれぞれ単独で支持するようにした上下に一対にして，それぞれ支柱１の側面に一端を対接固定して歩行路乃至階段側の正面に向けて上向きのＬ字状乃至し字状に突出してその上端に，例えば上下方向角度自在に設置したブラケット２１を配置したものとしてあり，このとき該ブラケット２１は，ビーム３の下方からビーム３，本例にあっては後述のビーム本体３１の連結壁３２に対接するように持出アーム２の上端から上方に向けて手摺前後方向，即ち正面Ｔ字状をなすように突出したものとしてある。
【００２０】
本例にあってビーム３は，アルミ押出材製の上位のビーム本体３１と，該ビーム本体３１に嵌着固定したアルミ又は樹脂押出材製の下位のビームキャップ３４との上下に割型とするように上下に２区分した押出材を用いて形成したものとするとともにその表面外周の全体又は一部，本例にあっては全体に，例えば軟質乃至半硬質の樹脂層を被覆することによって歩行者の手滑りを防止する滑り止め層３９を備えたものとしてある。
【００２１】
このとき上記ビーム本体３１は，下向き開口の断面略Ｃ字状，但し上記略卵型としたことによってやや扁平の略Ｃ字状にして上下中間位置に該ビーム本体３１を上下に区画するように手摺前後方向に向けて水平の横断状に配置した上下中間配置の連結壁３２を備えて一体成形した極厚の厚肉中空にして剛性に優れたものとしてあり，また上記ビームキャップ３４は，該ビーム本体３１の上記下向き開口をその下面側で閉塞し，ビームの略卵型下面に沿うように曲成したキャップ基板３４と該キャップ基板３４に起立して，上記ビーム本体３１の下端に対向して突出した開口端部３３間を通過して該開口端部３３上の受部に引掛係止する係止条３６をビーム本体３１横断方向外側に向けて突設する一方，上記キャップ基板３４の両端に上向きに突出して該開口端部の受溝に引掛係止する端部係止条３７を備えて一体成形した厚肉にして同じく剛性に優れたものとしてあり，上記係止条３６を開口端部３３上の受部に，また端部係止条３７を該開口端部３３の受溝にそれぞれスライド係止乃至スナップイン係止することによって，該ビームキャップ３４をビーム本体３１の下面にその下向き開口を閉塞するように嵌着固定して上記上下２段の各ビーム３を共通に形成したものとしてある。
【００２２】
このとき上記持出アーム２のブラケット２１に対するビーム３の載置固定は，例えば上記ビームキャップ３４の配置を，ビーム本体３１の長手方向両端を除く中間部に配置することによって該ビーム本体３１の長手方向両端を開放し，下向き開口にビーム本体３１の連結壁３２が露出した状態として，上記持出アーム２のブラケット２１を，該ビーム本体３１の長手方向両端の開放部分からビーム本体３１の内部に，その上記開口端部３３を通過して挿入し，その連結壁３２に対して下方から対接し，ブラケット２１から該連結壁３２長手方向複数箇所，例えば２箇所においてネジ５，例えばボルトを該連結壁の螺孔に螺入し，該ブラケット２１をビーム本体３１の連結壁３２に螺着することによって，該ブラケット２１によりビーム３をそれぞれ下支え状に行ってあり，このとき該ビーム本体３１のブラケット２１位置の長手方向外方端部には上記ビームキャップを短寸に切断し又は端部専用に形成した下面キャップ３８を嵌着配置して該長手方向端部の下面を閉塞したものとしてある。
【００２３】
端部連結部材４は，２段ビーム手摺Ａの長手方向両端，即ち設置位置手前の始端と設置位置末尾の終端においてその上下２段のビーム３を連結するように，例えば上記上下２段のビーム３配置を変位して歩行路乃至階段側にずらした本例にあっては，該変位の角度に応じて上下傾斜方向にその連結を行ってあり，該端部連結部材４は，上記ビーム３の断面形状と同一形状とし又はこれとは異なる形状，本例にあっては上記ビーム３とは異なって該ビーム３と同等か又はこれよりやや小さめの円形断面にして，例えば手摺前後方向，即ち正面倒Ｕ字状をなすものとして，厚肉中空に鋳造によって一体成形した剛性に優れたものとしてあり，該端部連結部材４は，その先端，即ち上下２段の各ビーム３側に上下の固定片４１を突設するとともに上記ビーム３終端の告知サイン４２を配置してあり，本例にあって上記固定片４１は，上記ビーム本体３１の中間配置の連結壁３２に対してネジ５固定してその連結を行うものとし，また上記ビーム３終端の告知サイン４２を，該端部連結部材４の表面に該連結部材４と一体に形成した接触認知用の凹凸によるものとするとともに，本例にあって該端部連結部材４を上記鋳造部材としたことによって，該告知サイン４２は，これを鋳造時に該端部連結部材４と一体成形したものとしてある。
【００２４】
即ち端部連結部材４の上記固定片４１は，該端部連結部材４の上下先端に，その断面における上下中間位置から外方に突出した一体成形のプレートによるものとしてあり，このとき該固定片４１は，その上下先端で突出角度を異ならしめて，上記ビーム本体３１の連結壁３２が水平である一方，該端部連結部材４の配置を上記上下傾斜方向としたことによる角度の吸収を行うようにしてあり，該固定片４１によるビーム３への固定は，該上下の固定片４１を各ビーム３端部からその連結片３２に載置するようにそれぞれ挿入して，上記開放したビーム本体３１の長手方向端部位置で該連結片３２側からネジ５，例えばボルトを固定片４１に螺入することによって行ってあり，このとき該開放した長手方向端部位置，即ち端部連結部材４と上記ブラケット２１間には上記下面キャップ３８を嵌着配置して該開放部分を閉塞したものとしてある。
【００２５】
ビーム３終端の告知サイン４２は，本例にあって上記Ｕ字状の端部連結部材４のビーム３側の各端部に，該各端部をビーム３径より外側に膨出するように部分的に太径とし，例えば数ｃｍ長さの該太径部分表面に該表面を外周方向に囲繞するようにリブを多数平行に配置して，上記凹凸をなすものとしてあり，このとき該告知サイン４２の更に終端側には，ビーム３の延長線上に幾分突出した同じく数ｃｍの水平部分を残して湾曲部分に至るようにすることによって，該端部連結部材４を上記Ｕ字状をなすものとしてあり，上記数ｃｍの告知サイン４２及び同じく数ｃｍの水平部分によって，その先の湾曲部分に至る前に歩行者がビーム３の終端を確実に認知してビーム３のサポートによる歩行を停止することによって歩行者の安全性を確保し得るようにしてある。
【００２６】
このように形成した２段ビーム手摺Ａは，その上下２段のビーム３の断面形状を楕円形，特に略卵型とし，先太側の先端を歩行者に向けて，例えば３０〜４０°の角度に上向き傾斜し，該ビームの断面長軸を４〜６ｃｍ，断面短軸を３〜５ｃｍとして人の標準的な手握り寸法としたことによって，支え歩き，伝い歩きの歩行者の安定した手握りと安定した歩行を可能として，高齢者，身体障害者等の歩行を確実にサポートしてその使い勝手を良好とするとともに上記上下２段のビーム３に該ビーム３端部を連結する端部連結部材４を配置し且つこれにビーム３終端の告知サイン４２を配置したから，該２段ビーム手摺Ａの端部を該端部連結部材４によってデザイン処理してそのデザインを良好なものとするとともに，特に盲人や弱視者に端部連結部材４による始端位置と告知サイン４２による終端位置を確実に告知することによって，上記高齢者，身体障害者等のみならず盲人や弱視者の使い勝手を良好とし，公園の歩行路や階段，病院，市民ホール等各種公共施設の玄関，屋内外の階段，屋内廊下等に広く設置するに好適なものとすることができる。
【００２７】
図示した例は以上のとおりとしたが，本発明の実施に当って，上下２段のビームを支柱から同一突出幅として，端部連結部材を上下垂直に配置すること，端部連結部材を手摺前後方向にコ字状，３字状等の適宜の形状とすること，上記端部連結部材による上下２段のビームの連結を，上下の固定片を上下２段のビームの下面に対してネジ固定して行うようにすること，ビーム終端の告知サインを端部連結部材と別に成形した管状部材，半円状部材等として該端部連結部材にネジ，接着剤等適宜の固定手段によって固定するようにすること，告知サインを多数の溝，多数の突起を配置することによって接触認知用の凹凸とすること，告知サインを，該凹凸に代えて，端部連結部材に隆起することによって歩行者の手を受止めする受止片とすること等を含めて，本発明の実施に当って，２段ビーム手摺，上下２段のビーム，端部連結部材，ビーム終端の告知サイン，必要に応じて用いる接触認知用の凹凸等の各具体的形状，構造，材質，これらの関係，これらに対する付加，設置場所等は，上記発明の要旨に反しない限り様々な形態のものとすることができる。
【図面の簡単な説明】
【００２８】
【図１】２段ビーム手摺の中間を省略した部分破断の正面図である。
【図２】２段ビーム手摺の中間を省略した平面図である。
【図３】２段ビーム手摺の端部を示す側面図である。
【図４】２段ビーム手摺のビームの縦断面図である。
【符号の説明】
【００２９】
Ａ  ２段ビーム手摺
１  支柱
１１  キャップ
２  持出アーム
２１  ブラケット
３  ビーム
３１  ビーム本体
３２  連結壁
３３  開口端部
３４  ビームキャップ
３５  キャップ基板
３６  係止条
３７  端部係止条
３８  下面キャップ
３９  滑り止め層
４  端部連結部材
４１  固定片
４２  告知サイン
５  ネジ
【図１】
2008045356.tif 000003
【図２】
2008045356.tif 000004
【図３】
2008045356.tif 000005
【図４】
2008045356.tif 000006